(57)【要約】【課題】使用者が情報を容易に認識でき、表示情報を作成する処理が複雑ではない情報表示装置を提供する。【解決手段】表示画面に情報を表示する表示枠について規定されているテンプレートを選択する。選択されたテンプレートに規定されている表示枠を未使用の状態とする。処理対象の表示要求であって、いまだ処理が行われていない表示要求のなかで、最も優先度の高い表示要求を選択する。選択された表示要求が使用する表示枠を選択する表示枠選択手段において選択した表示枠に、前記表示要求に対応する情報を表示する。【選択図】図１
2009025972.tif 000002
【特許請求の範囲】
【請求項１】
使用者に情報を提示する、情報表示装置であって、
表示画面に情報を表示する表示枠について規定されているテンプレートを選択する、テンプレート選択手段と、
前記選択されたテンプレートに規定されている表示枠を未使用の状態とする、表示枠準備手段と、
処理対象の表示要求であって、いまだ処理が行われていない表示要求のなかで、最も優先度の高い表示要求を選択する、表示要求選択手段と、
前記表示要求選択手段において選択された表示要求が使用する表示枠を選択する、表示枠選択手段と、
前記表示枠選択手段において選択した表示枠に、前記表示要求に対応する情報を表示する、表示手段と、
を備えることを特徴とする情報表示装置。
【請求項２】
請求項１に記載の情報表示装置であって、
前記表示要求選択手段において行われる表示枠の選択は、未使用の表示枠のなかから、最も表示枠優先順序が高く設定されている表示枠を選択することにより行われることを特徴とする情報表示装置。
【請求項３】
請求項１又は２に記載の情報表示装置であって、
前記テンプレート、前記優先度、前記表示枠優先順序の何れか又はその組合せを変更する、変更手段と、
を更に備えることを特徴とする情報表示装置。
【請求項４】
使用者に情報を提示する、情報表示装置であって、
表示画面に情報を表示する表示枠について規定されている、テンプレートと、
処理対象の表示要求の処理の順番を規定するための、優先度と、
処理対象の表示要求が、使用可能な表示枠のなかからいずれの表示枠を選択するかを定めるための表示枠優先順序と、
前記テンプレート、前記優先度、前記表示枠優先順序の何れか又はその組合せを変更する、変更手段と、
を備えることを特徴とする情報表示装置。
【請求項５】
請求項３又は４に記載の情報表示装置であって、
前記変更手段は、環境状態の変化を感知したことを契機として動作することを特徴とする情報表示装置。
【請求項６】
請求項１乃至５の何れか１項に記載の情報表示装置であって、
前記テンプレートの表示枠の大きさや比率は、あらかじめ定められたものであり、事後的に大きさや比率の変更が行われないものであることを特徴とする情報表示装置。
【請求項７】
使用者に情報を提示する、情報表示方法であって、
表示画面に情報を表示する表示枠について規定されているテンプレートを選択する、テンプレート選択ステップと、
前記選択されたテンプレートに規定されている表示枠を未使用の状態とする、表示枠準備ステップと、
処理対象の表示要求であって、いまだ処理が行われていない表示要求のなかで、最も優先度の高い表示要求を選択する、表示要求選択ステップと、
前記表示要求選択ステップにおいて選択された表示要求が使用する表示枠を選択する、表示枠選択ステップと、
前記表示枠選択ステップにおいて選択した表示枠に、前記表示要求に対応する情報を表示する、表示ステップと、
を備えることを特徴とする情報表示方法。
【請求項８】
請求項７に記載の情報表示方法であって、
前記表示要求選択ステップにおいて行われる表示枠の選択は、未使用の表示枠のなかから、最も表示枠優先順序が高く設定されている表示枠を選択することにより行われることを特徴とする情報表示方法。
【請求項９】
請求項７又は８に記載の情報表示方法であって、
前記テンプレート、前記優先度、前記表示枠優先順序の何れか又はその組合せを変更する、変更ステップと、
を更に備えることを特徴とする情報表示方法。
【請求項１０】
表示画面に情報を表示する表示枠について規定されている、テンプレートと、
処理対象の表示要求の処理の順番を規定するための、優先度と、
処理対象の表示要求が、使用可能な表示枠のなかからいずれの表示枠を選択するかを定めるための表示枠優先順序を備える装置における、使用者に情報を提示する情報表示方法であって、
前記テンプレート、前記優先度、前記表示枠優先順序の何れか又はその組合せを変更する、変更ステップを備えることを特徴とする情報表示方法。
【請求項１１】
請求項９又は１０に記載の情報表示方法であって、
前記変更ステップは、環境状態の変化を感知したことを契機として行われることを特徴とする情報表示方法。
【請求項１２】
請求項７乃至１１の何れか１項に記載の情報表示方法であって、
前記テンプレートの表示枠の大きさや比率は、あらかじめ定められたものであり、事後的に大きさや比率の変更が行われないものであることを特徴とする情報表示方法。
【請求項１３】
使用者に情報を提示する、情報表示プログラムであって、
表示画面に情報を表示する表示枠について規定されているテンプレートを選択する、テンプレート選択機能と、
前記選択されたテンプレートに規定されている表示枠を未使用の状態とする、表示枠準備機能と、
処理対象の表示要求であって、いまだ処理が行われていない表示要求のなかで、最も優先度の高い表示要求を選択する、表示要求選択機能と、
前記表示要求選択機能において選択された表示要求が使用する表示枠を選択する、表示枠選択機能と、
前記表示枠選択機能において選択した表示枠に、前記表示要求に対応する情報を表示する、表示機能と、
をコンピュータに実現させることを特徴とする情報表示プログラム。
【請求項１４】
表示画面に情報を表示する表示枠について規定されている、テンプレートと、
処理対象の表示要求の処理の順番を規定するための、優先度と、
処理対象の表示要求が、使用可能な表示枠のなかからいずれの表示枠を選択するかを定めるための表示枠優先順序を備える装置における、使用者に情報を提示する情報表示プログラムであって、
前記テンプレート、前記優先度、前記表示枠優先順序の何れか又はその組合せを変更する、変更機能をコンピュータに実現させることを特徴とする情報表示プログラム。
【発明の詳細な説明】
【技術分野】
【０００１】
本発明は、状況に応じて、表示する情報や表示レイアウトを決定する、情報表示装置、情報表示方法及び情報表示プログラムに関する。
【背景技術】
【０００２】
従来の車両用情報表示装置では、表示画面に複数の情報を表示する場合に、重要度の高い情報と重要度の低い情報の表示面積の比率を変更して、運転者が欲しい情報を見やすい配置にレイアウトする方法が提案されている。
【０００３】
従来の車載用表示装置の一例が、特許文献１に記載されている。特許文献１に記載の図２に示すように、この従来の表示制御装置は、表示情報毎に、表示領域の位置や大きさを指定している。
【０００４】
このような構成を有する従来の表示制御装置はつぎのように動作する。
【０００５】
すなわち、特許文献１に記載の［動作例１］では、特許文献１に記載の図６で示すように、表示情報「目的地の天気情報」を表示するとタコメータＪ２が時計Ｊ３の上部にある空きスペースに移動し、縮小して表示されている。
【０００６】
また、特許文献１に記載の［動作例２］では、表示情報「Ｅメール」を表示する場合について、特許文献１に記載の図７で示されている。この場合、時計Ｊ３の上部に空きスペースがあるにもかかわらずタコメータＪ２の表示位置とサイズは変更されていない。
【特許文献１】特許第３７７７７９０号公報
【発明の開示】
【発明が解決しようとする課題】
【０００７】
この点、特許文献１に記載の技術には以下の問題点があった。
【０００８】
表示情報の重要度を元に表示面積の比率を変えると、運転者にとっては同じ情報が違う様式で表示されることになり、場合によっては非常に認識しづらいものとなっていた。
【０００９】
また、場合によっては複数の情報それぞれの全情報を表示しなくても良いこともある。このような場合には、無理に表示面積の比率を変えるのではなく、複数の情報を重ね合わせて表示させ、情報の一部分もしくは全部を表示すればよいはずである。
【００１０】
すなわち、第１の問題点は、運転者がタコメータＪ２を正しく認識できない可能性がある点である。その理由は、特許文献１に記載の［動作例１］のように表示位置とサイズ及び表示面積の比率が変更された場合、運転者は同じ情報が表示されていると認識できない可能性があるからである。
【００１１】
また、運転者によって使い勝手のよい表示レイアウトは、表示する情報の重要度、車両の走行状況や運転者の状態などにより様々である。この点、新たに表示しようとする情報を作成する際に、現在表示中の情報の重要度や車両の走行状況などを考慮して表示レイアウトを決定すると、表示情報を作成する際に考慮しなければならない項目が増え、処理が複雑になるという問題があった。
【００１２】
すなわち、第２の問題点は、タコメータＪ２の表示様式を決定する方法が複雑になる点である。その理由は、特許文献１に記載の［動作例１］及び［動作例２］のようにタコメータＪ２の表示様式が、新たに表示される情報内容に依存しており、その都度情報内容に対応した表示様式を選択する必要があるからである。
【００１３】
そこで、本発明は使用者が情報を容易に認識することが可能であり、表示情報を作成する処理が複雑ではない情報表示装置を提供することを目的とする。
【課題を解決するための手段】
【００１４】
本発明によれば、第１の装置として使用者に情報を提示する、情報表示装置であって、表示画面に情報を表示する表示枠について規定されているテンプレートを選択する、テンプレート選択手段と、前記選択されたテンプレートに規定されている表示枠を未使用の状態とする、表示枠準備手段と、処理対象の表示要求であって、いまだ処理が行われていない表示要求のなかで、最も優先度の高い表示要求を選択する、表示要求選択手段と、前記表示要求選択手段において選択された表示要求が使用する表示枠を選択する、表示枠選択手段と、前記表示枠選択手段において選択した表示枠に、前記表示要求に対応する情報を表示する、表示手段と、を備えることを特徴とする情報表示装置が提供される。
【００１５】
更に、第２の装置として使用者に情報を提示する、情報表示装置であって、表示画面に情報を表示する表示枠について規定されている、テンプレートと、処理対象の表示要求の処理の順番を規定するための、優先度と、処理対象の表示要求が、使用可能な表示枠のなかからいずれの表示枠を選択するかを定めるための表示枠優先順序と、前記テンプレート、前記優先度、前記表示枠優先順序の何れか又はその組合せを変更する、変更手段と、を備えることを特徴とする情報表示装置が提供される。
【００１６】
更に、第１の方法として使用者に情報を提示する、情報表示方法であって、表示画面に情報を表示する表示枠について規定されているテンプレートを選択する、テンプレート選択ステップと、前記選択されたテンプレートに規定されている表示枠を未使用の状態とする、表示枠準備ステップと、処理対象の表示要求であって、いまだ処理が行われていない表示要求のなかで、最も優先度の高い表示要求を選択する、表示要求選択ステップと、前記表示要求選択ステップにおいて選択された表示要求が使用する表示枠を選択する、表示枠選択ステップと、前記表示枠選択ステップにおいて選択した表示枠に、前記表示要求に対応する情報を表示する、表示ステップと、を備えることを特徴とする情報表示方法が提供される。
【００１７】
更に、第２の方法として表示画面に情報を表示する表示枠について規定されている、テンプレートと、処理対象の表示要求の処理の順番を規定するための、優先度と、処理対象の表示要求が、使用可能な表示枠のなかからいずれの表示枠を選択するかを定めるための表示枠優先順序を備える装置における、使用者に情報を提示する情報表示方法であって、前記テンプレート、前記優先度、前記表示枠優先順序の何れか又はその組合せを変更する、変更ステップを備えることを特徴とする情報表示方法が提供される。
【００１８】
更に、第１のプログラムとして使用者に情報を提示する、情報表示プログラムであって、表示画面に情報を表示する表示枠について規定されているテンプレートを選択する、テンプレート選択機能と、前記選択されたテンプレートに規定されている表示枠を未使用の状態とする、表示枠準備機能と、処理対象の表示要求であって、いまだ処理が行われていない表示要求のなかで、最も優先度の高い表示要求を選択する、表示要求選択機能と、前記表示要求選択機能において選択された表示要求が使用する表示枠を選択する、表示枠選択機能と、前記表示枠選択機能において選択した表示枠に、前記表示要求に対応する情報を表示する、表示機能と、をコンピュータに実現させることを特徴とする情報表示プログラムが提供される。
【００１９】
更に、第２のプログラムとして表示画面に情報を表示する表示枠について規定されている、テンプレートと、処理対象の表示要求の処理の順番を規定するための、優先度と、処理対象の表示要求が、使用可能な表示枠のなかからいずれの表示枠を選択するかを定めるための表示枠優先順序を備える装置における、使用者に情報を提示する情報表示プログラムであって、前記テンプレート、前記優先度、前記表示枠優先順序の何れか又はその組合せを変更する、変更機能をコンピュータに実現させることを特徴とする情報表示プログラムが提供される。
【発明の効果】
【００２０】
本発明によれば、情報の重要度、車両の走行状況、運転者の状態などに応じて表示する情報や表示レイアウトを決定することにより、使用者が情報を容易に認識可能な情報表示を行うことが可能となる。
【発明を実施するための最良の形態】
【００２１】
次に、本発明の実施形態について図面を用いて説明する。
【００２２】
［実施形態の構成］
次に、本発明の実施形態の構成について図面を参照して詳細に説明する。
【００２３】
図１を参照すると、本実施形態は、表示情報を作成する表示情報作成部１０と、表示レイアウトを管理する表示レイアウト管理部２０と、車両情報や運転者の状態などを検出するセンサ群４０と、ナビゲーション画面やＴＶ画面など各種表示を行う表示装置３０とを備える。
【００２４】
表示レイアウト管理部２０は、表示要求処理部２１と、表示優先度管理部２２と、表示枠管理部２３と、テンプレート管理部２４と、状態管理部２５とを備える。
【００２５】
表示要求処理部２１は、表示情報作成部１０から表示要求を受け取り、この表示要求の優先度を表示要求優先度管理部２２から取り出すとともに、この表示要求が使用できる表示枠の種類とその表示枠優先順序を表示枠管理部２３から取り出す。
【００２６】
ここで表示要求の「優先度」とは、複数の表示要求がある場合に、処理を行うための順番を決定するための順位である。優先度の高い表示要求から順番に処理対象となる。
【００２７】
また、「表示枠優先順序」とは、使用可能な表示枠の中からいずれの表示枠を選択するかについての順序を定めたものである。使用可能な表示枠の中で、最も表示枠優先順序が高い表示枠が使用対象として選択される。
【００２８】
また、表示要求処理部２１は、テンプレート管理部２４に対して、表示要求の優先度の高い順に、使用できる表示枠のうち表示枠優先順序の高い表示枠順に表示可能かどうかを問い合わせる。問い合わせた結果表示可能であった場合、表示装置３０に対して表示枠の表示位置とサイズ、表示内容を通知し、表示を行う。
【００２９】
表示要求優先度管理部２２は、表示情報作成部１０により作成される表示要求の優先度を管理する。
【００３０】
表示枠管理部２３は、表示情報作成部１０により作成される表示要求が、テンプレート管理部２４により管理されるテンプレートに設定されている表示枠のうち、どの表示枠に表示できるかを管理する。また、表示できる表示枠が複数ある場合はその表示枠優先順序を、表示要求ごとに管理する。
【００３１】
テンプレート管理部２４は、表示枠の位置やサイズが設定されているテンプレートと呼ばれる情報を管理する。テンプレートは、表示装置のサイズにあわせて設定される。
【００３２】
状態管理部２５は、センサ群４０から入手した車両の走行状況や運転者の状態などを元に、表示要求優先度管理部２２、表示枠管理部２３に対してデータの変更を行うとともに、テンプレート管理部２４に対して使用中のテンプレートの変更を行う。
【００３３】
センサ群４０は、車両走行状況センサ４１と、運転者の状態センサ４２とを備える。
【００３４】
車両走行状況センサ４１は、車両が停車中か運転中かを検出するセンサや、車両の走行方向と日射方向との関係により表示装置３０の見え具合の変化を検出するセンサなどである。
【００３５】
運転者の状態センサ４２は、運転者の性別や年齢を検出するセンサや、運転者の身長や座席の前後位置などによる表示装置３０の見え具合を検出するセンサなどである。
【００３６】
これら、使用者や表示装置に対する環境の変化が、本発明における「環境状態の変化」に対応するものである。なお、本実施形態における車両の走行状況の変化のように使用者に伝達すべき情報の変化も、「環境状態の変化」に含まれるものである。
【００３７】
［実施形態の動作の説明］
次に、図１乃至１３を参照して本発明の実施形態の動作について詳細に説明する。
【００３８】
まず、テンプレート管理部２４は表示装置の大きさにあわせてテンプレートを設定しておく。テンプレートの例を図３に示す。本実施形態では表示部に表示枠Ａ及び表示枠Ｂを備える。
【００３９】
次に、図４に示されるような、たとえば「ガソリン残量警告」という情報を表示したい場合を考える（図面中では具体的な表示文章として「ガソリン残量わずか」と示す。）。
【００４０】
なお、「ガソリン残量警告」の表示枠に関しての表示枠優先順序は、表示枠Ａが最も高く、表示枠Ｂの表示枠優先順序は２番目であると規定されているとする（図２参照）。
【００４１】
表示情報作成部１０は、「ガソリン残量警告」という表示情報を作成した後、表示要求処理部２１に対して表示要求を行う。
【００４２】
表示要求を受けた表示要求処理部２１は、まず、すべての表示枠を未使用に設定する（図５のステップＡ１）。
【００４３】
次に、表示要求処理部２１は、処理対象の表示要求の優先度を表示要求優先度管理部２２に問い合わせ、最も優先度の高い表示要求を選択する（図５のステップＡ２）。
【００４４】
次に、この表示要求が使用できる表示枠及び表示枠優先順序を表示枠管理部２３に問い合わせる。そして、問い合わせにより得られた表示枠優先順序の高い順に表示枠を選択する（図５のステップＡ３）。この段階では表示要求は１つしかなく、この表示要求が使用できる表示枠はすべて未使用のため、表示枠Ａ、表示枠Ｂのいずれも選択可能である。そのため、表示枠優先順序が最も高い表示枠Ａが選択され、表示が行われる。
【００４５】
さらに、図６のように「パンク発生」及び「ガソリン残量警告」が既に表示されている状態を想定する。この場合に、「オーバーヒート」という、「パンク発生」及び「ガソリン残量警告」より更に、優先度の高い警告の表示要求があったとする（図２参照）。この場合の動作について説明する。なお、表示枠の表示枠優先順序は、全ての表示要求において、表示枠Ａが最も高く、表示枠Ｂの表示枠優先順序は２番目であると規定されているとする（図２参照）。
【００４６】
この場合、図５のステップＡ２において、「オーバーヒート」の表示要求が最初に選択される。次に、この表示要求「オーバーヒート」が使用できる表示枠の表示枠優先順序に基づいて表示枠が選択される（図５のステップＡ３）。
【００４７】
この際、選択可能な表示枠を判別するために、まず現在の表示枠の使用状況を確認する（図５のステップＡ４）。今回は「オーバーヒート」が最も優先度の高い表示要求であり、最初の処理対象であるから、いずれの表示枠もいまだ使用されていないことが確認される。そして、次のステップである図５のステップＡ６に進む。
【００４８】
前記ステップＡ４で確認したように、表示枠は使用されていないため、使用対象は最も表示枠優先順序の高い表示枠Ａとなる。そのため、表示枠Ａを「使用中」の状態として設定する（図５のステップＡ６）。
【００４９】
これにより、「オーバーヒート」の表示が表示枠Ａに行われることとなる（図５のステップＡ７）。
【００５０】
次に、今回処理を終了した表示要求「オーバーヒート」以外にも処理対象となる表示要求が有るか否かを判定する（図５のステップＡ８）
「オーバーヒート」以外に処理対象となる表示要求がない場合は、今回の表示要求に対する処理は終了となる。
【００５１】
一方、処理対象となる表示要求がある場合は、処理の対象をその表示要求として処理を継続する。今回は、ほかにも「パンク発生」と「ガソリン残量警告」の２つの表示要求があるため処理は継続される。
【００５２】
次に、２番目の優先度である「パンク発生」の表示要求の処理が行われる（図５のステップＡ２）。今回も「オーバーヒート」の場合と同様に使用できる表示枠の優先度順序から表示枠を選択する（図５のステップＡ３）。
【００５３】
この際、選択可能な表示枠を判別するために、現在の表示枠の使用状況を確認する（図５のステップＡ４）。今回は上述したように表示枠Ａが「オーバーヒート」により使用中である。そのため前記、「オーバーヒート」の場合と異なりステップＡ５に進む。
【００５４】
ステップＡ５では、すでに使用されている表示枠Ａ以外に使用出来る表示枠がないか判別する。判別により表示枠Ｂはいまだ未使用であることが確認され、使用出来る表示枠が有るという判断がされる。
【００５５】
次に、「パンク発生」が使用でき、かつ、最も優先度順の高い表示枠である、表示枠Ｂを選択する。それ以後は、上述した「オーバーヒート」の場合と同様に処理を進め、表示枠Ｂに「パンク発生」を表示する（図５のステップＡ４、Ａ６及びＡ７）。
【００５６】
更に、今回処理を終了した表示要求「パンク発生」以外にも処理対象となる表示要求が有るか否かを判定する。そして、「ガソリン残量警告」という表示要求があるため、次に「ガソリン残量警告」を対象として処理を継続する（図５のステップＡ８）。
【００５７】
最後に、「ガソリン残量警告」の処理が行われる。ステップＡ４において、表示枠の使用状況を確認する。すると、優先順位の高い表示枠Ａは「オーバーヒート」に、使用されていることが確認される。そのため、次にステップＡ５に進む。
【００５８】
ステップＡ５で、優先順の高い表示枠である表示枠Ａ以外の、使用することのできる表示枠を判別する。この点、今回のテンプレートで用意されている表示枠は、表示枠Ａと表示枠Ｂの２つである。そして、上述したように表示枠Ｂは既に「パンク発生」に使用されている。よって、「ガソリン残量警告」が使用できる表示枠は無いと判断される。
【００５９】
更に、今回処理を終了した表示要求「パンク発生」以外にも処理対象となる表示要求が有るか否かを判定する。今回は「オーバーヒート」、「パンク発生」、「ガソリン残量警告」と優先度の高い順に処理が行われており、全ての処理対象についての処理は終了している。よって処理対象となる表示要求は他にないため、今回の表示要求処理は終了する。
【００６０】
なお、今回の一連の処理を行った結果の表示画面の状態を図７に示す。表示枠Ａに「オーバーヒート」が、表示枠Ｂに「パンク発生」が表示されている。一方、「ガソリン残量警告」は、使用できる表示枠Ａ及び表示枠Ｂのいずれもが、すでに使用中であるため、表示は行われない。
【００６１】
次に、車両の走行状況や運転者の状態などの変化に応じて画面の表示を変化させる処理について図１２を用いて説明する。
【００６２】
センサ群４０は、車両状況や運転者の状態などの変化を検出した場合に、状態変化があったことを、状態管理部２５に通知する（図１２のステップＢ１）。
【００６３】
変化を通知された状態管理部２５は、表示情報優先度を変更すべきかを、上述した状態変化のあった後の車両状況や運転者の状態などを考慮して判断する（図１２のステップＢ２）。
【００６４】
そして、表示情報優先度を変更すべきであると判断した場合は表示優先度管理部２２に、表示情報優先度を変更するように通知する（図１２のステップＢ３）。
【００６５】
一方、表示情報優先度を変更すべきでないと判断した場合は次のステップに進む。
【００６６】
つぎに、状態管理部２５は、表示枠優先順序を変更すべきかを、上述した状態変化のあった後の車両状況や運転者の状態などを考慮して判断する（図１２のステップＢ４）。
【００６７】
そして、表示枠優先順序を変更すべきであると判断した場合は、表示枠管理部２３に、表示枠優先順序を変更するように通知する（図１２のステップＢ５）。
【００６８】
一方、表示枠優先順序を変更すべきでないと判断した場合は次のステップに進む。
【００６９】
つぎに、状態管理部２５は、テンプレートを変更すべきかを、上述した状態変化のあった後の車両状況や運転者の状態などを考慮して判断する（図１２のステップＢ５）。
【００７０】
そして、テンプレートを変更すべきであると判断した場合は、テンプレート管理部２４に、テンプレートを変更するように通知する（図１２のステップＢ６）。
【００７１】
一方、テンプレートを変更すべきでないと判断した場合は次のステップに進む。
【００７２】
最後に、表示要求処理を行い状態管理部の処理は終了する。
【００７３】
次に、構成は、上述したものと同様の構成であるが、使用するテンプレートとして、テンプレート管理部２４が図８のようなテンプレートを設定している場合を想定し、具体的な動作について説明する。
【００７４】
図９のように、表示枠Ａにナビゲーション画面が、表示枠ＢにＴＶ画面が表示されているとする。これは、図１０に示すように、ＴＶ画面の表示要求の方がナビゲーション画面の表示要求より優先度が高く、ＴＶ画面の表示要求で使用できる表示枠の表示枠優先順序が表示枠Ｂ、表示枠Ａの順になっているからである。
【００７５】
ここで、図１の車両走行状況センサ４１から車両の走行状況の変化を通知された状態管理部２５は、表示枠管理部２３に対してＴＶ画面の表示要求の、表示枠の表示枠優先順序を変更する。これは、走行状況の変化により表示枠Ａよりも表示枠Ｂの方が視認しやすい状態になったと判断されたからである（図１２のステップＢ４）。具体的には図１１で示すようにＴＶ画面の表示要求で使用できる表示枠の表示枠優先順序が表示枠Ａ、表示枠Ｂの順に変更する。
【００７６】
次に、表示要求処理部に表示要求を行なう（図１２のステップＢ８）。その後の、表示要求処理の手順は、上述した図５を用いて説明した手順と同様である。
【００７７】
図５のステップＡ２においてまず選択される表示要求は、優先度の高いＴＶ画面の表示要求であり、ステップ３において選択される表示枠は表示枠優先順序の高い表示枠Ａである。よって、ＴＶ画面の表示が表示枠Ａに対して行われる。
【００７８】
次に処理されるナビゲーション画面の表示要求の表示要求で使用できる表示枠の表示枠優先順序が表示枠Ｂ、表示枠Ａの順である。また、既に表示枠ＡはＴＶ画面の表示要求により使用されている。そのため、ナビゲーション画面の表示要求は、表示枠Ｂに対して行われる。表示結果を図１３に示す。
【００７９】
上記で説明した本発明の実施形態から得られる効果について説明する。
【００８０】
第１の効果は、表示情報を作成する際の処理を簡単にできることにある。
【００８１】
その理由は、表示情報を作成する際に表示レイアウトを考慮せずに作成することが出来るためである。
【００８２】
第２の効果は、表示された情報が運転者にとって認識しやすいことにある。
【００８３】
その理由は、テンプレートを使用しているため、表示サイズが変わらないためである。
【００８４】
第３の効果は、車両の状態や運転者の状態によって柔軟にレイアウトを変更できることにある。
【００８５】
その理由は、車両の状態や運転者の状態によって、表示優先度を変更する機能を持つためである。
【００８６】
第４の効果は、画像データのデータ形式にとらわれることなく本発明を適用可能なことである。
【００８７】
その理由は、あらかじめ表示情報の画像データ形式に対応するテンプレートを用意しているからである。そして、表示に際して表示比率を変更させるといった画像処理は不要だからである。
【００８８】
第５の効果は、ひとつの表示装置で、表示の切り替えを行うことなく、同時に複数の情報を表示することが可能なことである。
【００８９】
その理由は、テンプレートに複数の表示枠を用意しておくことができるためである。
【００９０】
なお、上記の実施形態では車両用情報装置を例として説明したが、本発明は例えば、パーソナルコンピュータ、携帯電話、テレビジョン装置といった多様な表示装置に適用することが可能である。
【００９１】
また、本発明における情報表示装置は、ハードウェア、ソフトウェア又はこれらの組合せにより実現することができる。
【産業上の利用可能性】
【００９２】
本発明は、パーソナルコンピュータ、携帯電話、ＰＤＡ（Personal Digital Assistants）、テレビジョン装置、車両用情報装置といった多様な表示装置に利用可能である。
【図面の簡単な説明】
【００９３】
【図１】本発明の実施形態の基本的構成を表す図である。
【図２】本発明の実施形態における表示要求処理の説明で例示する表示要求の、優先度及び表示枠優先順序を表す図である。
【図３】本発明の実施形態におけるテンプレートの例を表す図である。
【図４】本発明の実施形態における表示例を表す図である。
【図５】本発明の実施形態における表示要求処理の動作を表す流れ図である。
【図６】本発明の実施形態における表示例を表す図である。
【図７】本発明の実施形態における表示例を表す図である。
【図８】本発明の実施形態におけるテンプレートの例を表す図である。
【図９】本発明の実施形態における表示例を表す図である。
【図１０】本発明の実施形態における画面の表示を変化させる処理の説明で例示する表示要求の、優先度及び表示枠優先順序を表す図である。
【図１１】本発明の実施形態における画面の表示を変化させる処理の説明で例示する表示要求の、優先度及び表示枠優先順序を表す図である。
【図１２】本発明の実施形態における画面の表示を変化させる処理の動作を表す流れ図である。
【図１３】本発明の実施形態における表示例を表す図である。
【符号の説明】
【００９４】
１０  表示情報作成部
２０  表示レイアウト管理部
２１  表示要求処理部
２２  表示優先度管理部
２３  表示枠管理部
２４  テンプレート管理部
２５  状態管理部
３０  表示装置
４０  センサ群
４１  車両走行状況センサ
４２  運転者の状態センサ
【図１】
2009025972.tif 000003
【図２】
2009025972.tif 000004
【図３】
2009025972.tif 000005
【図４】
2009025972.tif 000006
【図５】
2009025972.tif 000007
【図６】
2009025972.tif 000008
【図７】
2009025972.tif 000009
【図８】
2009025972.tif 000010
【図９】
2009025972.tif 000011
【図１０】
2009025972.tif 000012
【図１１】
2009025972.tif 000013
【図１２】
2009025972.tif 000014
【図１３】
2009025972.tif 000015